(57)【要約】      （修正有）【課題】ボトル状化粧品のケースの構造を簡易化するとともに展示用としてそのまま適用することができ、かつ包装状態の装飾、作用効果に優れたケースの提供。【解決手段】天板２と底板３の各辺の対応する各辺に周側板７の左開放側部板４の上下嵌合溝１３ａ、１３ｂを嵌合固着してケース本体１４を形成するとともにこのケース本体１４の開口部１５にボトル状化粧品１６を収納し、前記周側板７の右開放側部板５の上下嵌合溝１３ａ、１３ｂを天板２と底板３の各辺の対応する各辺に嵌合することにより前記ケース本体１４の開口部１５を閉鎖することができかつ前記右開放側部板５を天板２と底板３より開放してケース本体１４の開口部１５を開放することができるように構成されている。【選択図】図１
0003124823.tif 000002
【実用新案登録請求の範囲】
【請求項１】
天板と底板を有するとともにこの天板と底板間を囲繞する周側板とから成るボトル状化粧品の展示兼用ケースにおいて、
前記天板と底板は、展示兼収納するボトル状化粧品の外径に対応する多角形に形成するとともに、
前記周側板は、前記天板と底板の多角形の各辺に対応する数の側部板を設け、かつ各側部板は、左右開放側部板間の各側部板で折曲自在に連結し、かつ各側部板の上下部には、前記天板と底板の各辺に嵌合する嵌合溝を設けて形成し、
さらに、前記天板と底板の各辺のうちの複数の辺に、前記周側板の左右いずれかの開放側部板とこれに連結する複数の側部板を、各側部板間の折曲溝を介して折曲しつつ、各側部板の各上下嵌合溝を、天板と底板の対応する辺に嵌合かつ固着して、ケース本体を形成するとともに、前記天板と底板の複数の辺に固着した側部板に連結される各側部板を、各側部板間の折曲溝を介して折曲しつつ、各側部板の各上下嵌合溝を天板と底板の対応する辺に嵌合した後、前記天板と底板の辺に固着した左右いずれかの一方の開放側部板に他方の開放側部板を連結して、前記ケース本体の開口部を閉鎖し、逆に、前記固着した開放側部板に連結した他方の開放側部板と、その他の各側部板を天板と底板の各辺より各上下嵌合溝との嵌合を解除しつつ開放し、前記ケース本体の開口部を開口することができるように構成したことを特徴とするボトル状化粧品の展示兼用ケース。
【請求項２】
前記ケース本体の開口部を閉鎖した後、天板と底板に固着した一方の開放側部板に連結した他方の開放側部板間に、両側部板を止着するシールを貼着して、ケース本体内にボトル状化粧品を包装することにより構成したことを特徴とする請求項１記載のボトル状化粧品の展示兼用ケース。
【請求項３】
前記ケース本体を立設するとともに天板と底板に固着した側部板に連結される各側部板と、開放側部板を天板と底板の各辺より、各上下嵌合溝との嵌合を解除して、ケース本体の側方に屏風状に開放立設することにより、前記ケース本体に収納したボトル状化粧品を展示することができるように構成したことを特徴とする請求項１記載のボトル状化粧品の展示兼用ケース。
【請求項４】
前記天板と底板は、少なくとも正八角形から成るとともに、前記周側板は、少なくとも６の側部板から成り、さらに、一方の開放側部板とこれに連結される２の側部板の各上下嵌合溝を前記天板と底板のうち３の辺に嵌合、固着してケース本体を形成するとともに残りの少なくとも２の側部板と他方の開放側部板を、各上下嵌合溝を天板と底板の対応する辺に嵌合あるいは解除することにより、ケース本体の開口部を閉鎖あるいは、開口することができるように構成したことを特徴とする請求項１記載のボトル状化粧品の展示兼用ケース。
【請求項５】
前記周側板の各側部板の内側面には、装飾シールを張設することにより構成したことを特徴とする請求項１記載のボトル状化粧品の展示兼用ケース。
【考案の詳細な説明】
【技術分野】
【０００１】
本考案は、化粧品、特にボトル状の容器に充填されたボトル状化粧品の展示に兼用することのできるケースに関するものである。
【背景技術】
【０００２】
従来化粧品等のボトル状のケースとしては当然円筒状、角形、多角形状のケースが開発実施されている。
例えば、堅牢で量産化を可能とし、低価格で作成できる紙箱製品が提案されている。
すなわち、主として、指輪、ネックレス、ブレスレット等の高級宝飾箱、高級化粧箱、高級貼箱、ブックケースその他比較的高級品用の容器や一般ケースとして使用される紙製容器とその製造方法（特許文献１）に関するものである。
そして、かかる紙製容器とその製造方法は、円形、楕円形、長方形、矩形、多角形等の一定の異形断面を有する紙製筒状管体を所要の長さに裁断して身と蓋とが箱構成体となる箱枠本体を構成する。
また、箱枠本体が少なくとも身または蓋のいずれかの外枠構成部材としたり、少なくとも身または蓋のいずれかの中枠構成部材とするように構成するものである。
また、前記紙製筒状管体の断面開口形状を円形、三角形状、八角形状としたり、さらには各種の多角形状にしても良いことが開示されている。
次に、販売促進用展示用として使用でき、搬送中にはかさばらずに、載置台としての使用時には、機能的で安価に製造できる載置台を提供することを目的とする物品載置台及び載置対象物とともに包装した物品載置台の包装体（特許文献２）が提供されている。
しかして、前記包装体は、柔軟な素材の発泡体もしくは内部に気体を充填可能な被膜によって形成された載置部に固定部もしくは滑動防止部を設けた構成であり、搬送時や保管時には押し潰すか空気を抜くことで体積を減少できると同時に緩衝材の役割を果たし、使用時や陳列時には圧力から開放するか空気を注入することで体積を増して本来の形状及び機能を可能としたものである。
さらに、化粧品容器等の陳列包装容器（実用新案文献１）が提供されている。
係る陳列包装容器は透明な合成樹脂シートで形成したサック箱の両側に一対の紙器を固定して、サック箱と紙器の中空部に化粧品容器等の内容物を指示する包装容器であって、前記サック箱及び紙器に内容物を保持する切り欠きを形成し、サック箱の上下面を閉鎖する蓋板と底板の左右に係合フラップを配設し、サック箱と紙器は、上記係合フラップを紙器の内側支持板側に生じる空隙内に挿入することによって、上記サック箱と紙器を一体化することができるように構成したものである。
【特許文献１】特開平９−２５４９６４号公報
【特許文献２】特開２００４−３３８７３０号公報
【特許文献３】実開平３−８１８２４号公報
【考案の開示】
【考案が解決しようとする課題】
【０００３】
さて、前記において示した紙箱製品（特許文献１）によれば、ボトル状の化粧品等のケースとして適用した場合、包装という目的に対する効能についてはそれなりの作用効果を得られる反面、外観上ボトル状化粧品としての高級感を発揮することは不可能であるとともに包装されたボトル状化粧品の陳列ケースとして使用することについては全く考慮されたものである。
また、物品載置台及び載置対象物とともに包装した物品載置台の包装体（特許文献２）や陳列包装容器（実用新案文献１）にあっては、包装兼展示の目的作用効果を発揮できるが構成上複雑な機構が要求され、単価が高くなるとともに包装する場合と展示する場合の操作が要求されるもので両者間における操作性が煩雑となる欠点を有する。
【０００４】
本考案は上記に鑑みて開発されたもので、ボトル状化粧品のケースの構造を簡易化するとともに展示用としてそのまま適用することができ、かつ包装状態の装飾、作用効果に優れたケースの提供を目的とするものである。
【課題を解決するための手段】
【０００５】
本考案は、前記目的を達成する手段として、請求項１のボトル状化粧品の展示兼用ケースは、天板と底板を有するとともにこの天板と底板間を囲繞する周側板とから成るボトル状化粧品の展示兼用ケースにおいて、前記天板と底板は、展示兼収納するボトル状化粧品の外径に対応する多角形に形成するとともに、前記周側板は、前記天板と底板の多角形の各辺に対応する数の側部板を設け、かつ各側部板は、左右開放側部板間の各側部板で折曲自在に連結し、かつ各側部板の上下部には、前記天板と底板の各辺に嵌合する嵌合溝を設けて形成し、さらに、前記天板と底板の各辺のうちの複数の辺に、前記周側板の左右いずれかの開放側部板とこれに連結する複数の側部板を、各側部板間の折曲溝を介して折曲しつつ、各側部板の各上下嵌合溝を、天板と底板の対応する辺に嵌合かつ固着して、ケース本体を形成するとともに、前記天板と底板の複数の辺に固着した側部板に連結される各側部板を、各側部板間の折曲溝を介して折曲しつつ、各側部板の各上下嵌合溝を天板と底板の対応する辺に嵌合した後、前記天板と底板の辺に固着した左右いずれかの一方の開放側部板に他方の開放側部板を連結して、前記ケース本体の開口部を閉鎖し、逆に、前記固着した開放側部板に連結した他方の開放側部板と、その他の各側部板を天板と底板の各辺より各上下嵌合溝との嵌合を解除しつつ開放し、前記ケース本体の開口部を開口することができるように構成したことを特徴とする。
【０００６】
請求項２のボトル状化粧品の展示兼用ケースは、前記請求項１記載のボトル状化粧品の展示兼用ケースにおいて、前記ケース本体の開口部を閉鎖した後、天板と底板に固着した一方の開放側部板に連結した他方の開放側部板間に、両側部板を止着するシールを貼着して、ケース本体内にボトル状化粧品を包装することにより構成したことを特徴とする。
【０００７】
請求項３のボトル状化粧品の展示兼用ケースは、前記請求項１記載のボトル状化粧品の展示兼用ケースにおいて、前記ケース本体を立設するとともに天板と底板に固着した側部板に連結される各側部板と、開放側部板を天板と底板の各辺より、各上下嵌合溝との嵌合を解除して、ケース本体の側方に屏風状に開放立設することにより、前記ケース本体に収納したボトル状化粧品を展示することができるように構成したことを特徴とする。
【０００８】
請求項４のボトル状化粧品の展示兼用ケースは、請求項１記載のボトル状化粧品の展示兼用ケースにおいて、前記天板と底板は、少なくとも正八角形から成るとともに、前記周側板は、少なくとも６の側部板から成り、さらに、一方の開放側部板とこれに連結される２の側部板の各上下嵌合溝を前記天板と底板のうち３の辺に嵌合、固着してケース本体を形成するとともに残りの少なくとも２の側部板と他方の開放側部板を、各上下嵌合溝を天板と底板の対応する辺に嵌合あるいは解除することにより、ケース本体の開口部を閉鎖あるいは、開口することができるように構成したことを特徴とする。
【０００９】
請求項５のボトル状化粧品の展示兼用ケースは、請求項１記載のボトル状化粧品の展示兼用ケースにおいて、前記周側板の各側部板の内側面には、装飾シールを張設することにより構成したことを特徴とする。
【考案の効果】
【００１０】
本考案のボトル状化粧品の展示兼用ケースによれば、天板、底板及び左右開放側部板と両開放側部板間に連結する複数の側部板から成る周側板による簡易な構成素材と、各構成素材は、天板と底板の各辺と周側板の各側部板の上下嵌合溝との嵌合により堅固な結合効果を得ることができる。
【００１１】
また、ケース本体の開口部の開閉は、ケース本体に固着される側部板に連結する複数の側部板と開放側部板の各折曲溝を介する折曲作用によって開閉操作をスムーズに行うことができるとともに天板と底板の各辺に対する各側部板と開放側部板の各上下嵌合溝との嵌合により閉鎖作用の適確化を計れる。
【００１２】
さらに、ケース本体に収納したボトル状化粧品のケース本体を立設するとともに開放状態に維持し、各側部板と開放側部板による屏風作用にて、ケース本体に収納されるボトル状化粧品を美観を以て展示することができる。
【００１３】
加えて、ケースは多角形による装飾作用が向上されるとともに収納するボトル状化粧品の外径に対して天板、底板、周側板の多角形の数を増減することにより簡単に対応することができ、かつ、多角形の数の増減により、ケースの外観に変化を付与しケースの景観に多趣向な実施を可能なしめる。
【００１４】
請求項２の考案によれば、左右開放側部板をシールを固着して封止することにより、簡単かつ外観上体裁良く包装することができる。
【００１５】
請求項５の考案によれば、展示作用をより向上することができるとともに、張設する装飾シールによって、ケース本体に収納するボトル状化粧品の外観に対応した展示効果を企画することができる。
【実施例１】
【００１６】
以下本考案のボトル状化粧品の展示兼用ケースの一実施例を図面とともに説明する。
【００１７】
図１〜図８は、断面が正八角形のケースについて実施した場合の実施例を示し、図１はケースの斜視図、図２はケースの平面図、図３はケースの底面図、図４はケースの横断面図、図５は周側板の一部を省略した正面図、図６はケースの天板と各辺と周側板の嵌合溝との横断面図、図７はケースの底板の各辺と周側板の嵌合溝との横断面図、図８はケース本体にボトル状化粧品を収納し、展示した状態を示す斜視図である。
【００１８】
図１〜７において、１はケースを示し、このケース１は正八角形の天板２、底板３と左右開放側部板４、５及びこの両側部板４、５間に連結した６の側部板６ａ〜６ｆから成る周側板７とから形成されている。
【００１９】
前記周側板７は図４〜７に示すが如く、表側シート８の裏面に、この表側シート８の肉厚より厚手の補強板９ａ〜９ｈを張着することにより、前記左右開放側部板４、５及び各側部板６ａ〜６ｆを形成する。
【００２０】
また、前記各補強板９ａ〜９ｈの左右両側縁は傾斜面１０ａ、１０ｂを設けることにより各補強板９ａ〜９ｈ間の各傾斜面１０ａ、１０ｂ間にＶ字状の折曲溝１１を形成し、前記表側シート８により連結される左右開放側部板４、５及び各側部板６ａ〜６ｆを前記各折曲溝１１を介して折曲することができるように形成されている。
【００２１】
さらに、前記周側部板７の左右開放側部板４、５及び各側部板６ａ〜６ｆの上下部には、天板２及び底板３の各辺２ａ〜２ｈ、３ａ〜３ｈに嵌合する嵌合溝１３ａ、１３ｂを穿設することにより形成されている。
【００２２】
そして、また左右開放側部板４、５及び各側部板６ａ〜６ｆには、銀色の装飾シート１２が張着してある。
【００２３】
そこで、前記のように形成された天板２、底板３及び周側板７によってケース１を形成する場合には、先ず左開放側部板４の上下嵌合溝１３ａ、１３ｂに天板２、３の一辺２ａ、３ａを嵌合するとともにこの左開放側部板４に連結される側部板６ａをこの側部板６ａと左開放側部板４間の折曲溝１１を介して折曲し、かつこの側部板６ａの上下の嵌合溝１３ａ、１３ｂを天板２，底板３の次の辺２ｂ、３ｂに嵌合し、同様にして次の側部板６ｂ、６ｃを天板２、底板３の次の辺２ｃ、２ｄ、３ｃ、３ｄに嵌合しさらに前記天板２、底板３の各辺２ａ〜２ｄ、３ａ〜３ｄに嵌合した嵌合溝１３ａ、１３ｂを予め嵌合前に塗布した接着剤により固着することにより、天板２、底板３に左開放側部板４及び側部板６ａ〜６ｃを固着し、ケース本体１４を形成する。
【００２４】
しかる後、前記周側部板７の天板２と底板３の各辺２ａ〜２ｄ、３ａ〜３ｄに固着したうちの側部板６ｃに連結される側部板６ｄ〜６ｆを前記各と右開放側部板５を、各折曲溝１１を介して折曲し、かつ上下の嵌合溝１３ａ、１３ｂを天板２、底板３の残り各辺２ｅ〜２ｈ、３ｅ〜３ｈに嵌合するとともに右開放側部板５を左開放側部板４に連結することにより前記ケース本体１４の開口部１５を閉鎖することができる。
【００２５】
そして、ケース本体１４の開口部１５を開口する場合には、前記操作とは逆に、先ず右開放側部板５を左開放側部板４との連結を解除し天板２、底板３の辺２ｈ、３ｈより上下の嵌合溝１３ａ、１３ｂを抜脱しつつ離反し、かつこの右開放側部板５に連結する側部板６ｆ及びこれに順次連結する各側部板６ｄ、６ｅの上下嵌合溝１３ａ、１３ｂを天板２、底板３の各辺２ｅ、２ｆ、３ｅ、３ｆより抜脱して、離反することにより、ケース本体１４の開口部１５を開口することができる。
【００２６】
よって、図８のケース本体１４の開口部１５の開口状態にて、ケース本体１４内にボトル状化粧品１６を収納し、前記した右開放側部板５とこれに連結する各側部板６ｄ〜６ｆを天板２、底板３の各辺２ｄ〜２ｈ、３ｄ〜３ｈに上下嵌合溝１３ａ、１３ｂに嵌合し、かつ右開放側部板５を左開放側部板４に連結することによりケース本体１４の開口部１５を閉鎖し、ケース本体１４内に収納したボトル状化粧品１６の包装を完了することができる。
【００２７】
尚、左右開放側部板４、５の連結には、上下の嵌合溝１３ａ、１３ｂと天板２、底板３の各辺２ｈ、３ｈの嵌合による固定作用に加えて、図１に示すが如く左右開放側部板４、５間の中央部に位置せしめて、シール１７を貼着することにより包装する。
また、シール１７に換えて、包装用のリボン等によって止着することにより包装することも可能である。
【００２８】
そして、前記ケース本体１４内に収納したボトル状化粧品１６を展示する場合には、ケース本体１４の開口部１５を前記操作により、開口するとともに図８に示す如く、右開放側部板５及び各側部板６ｄ〜６ｆを天板２、底板３の各辺２ｅ〜２ｈ、３ｅ〜３ｈより離反して屏風状に開放する。
【００２９】
また、この時ケース本体１４をボトル状化粧品１６を展示しようとする所要の位置に立設しつつ設置することにより、前記屏風状に開放される右開放側部板５、各側部板６ｄ〜６ｆによって装飾効果を得ることができる。
【００３０】
すなわち、右開放側部板５、各側部板６ｄ〜６ｆに張設した銀色の装飾シール１２による装飾作用とともにこの装飾シール１２による反射作用によって装飾作用がより向上される。
【００３１】
上記実施例においては特に正八角形のボトル状化粧品の展示兼用ケースについて説明したが、包装兼展示せんとするボトル状化粧品の径の大小に対応せしめてあるいは外観上の美観を向上するに適応せしめた多角形のケースによる実施が可能である。
同様にしてケース本体１４の構成についても、多層（側部板６、補強板９、装飾シート１２）による構成に換えて、任意の多層板（実施例以外の４層以上の多層板）あるいは任意の単層板に折曲溝１１を設けるとともに装飾シート１２に換えて、装飾に必要な塗層（塗料を塗布する等の構成）を施して形成する等の実施も可能である。
【図面の簡単な説明】
【００３２】
【図１】ケースの斜視図
【図２】ケースの平面図
【図３】ケースの底面図
【図４】ケースの横断面図
【図５】周側板の一部を省略した正面図
【図６】ケースの天板と各辺と周側板の嵌合溝との横断面図
【図７】ケースの底板の各辺と周側板の嵌合溝との横断面図
【図８】ケース本体にボトル状化粧品を収納し、展示した状態を示す斜視図
【符号の説明】
【００３３】
１  ケース
２  天板
２ａ〜２ｈ  天板の辺
３  底板
３ａ〜３ｈ  底板の辺
４、５  左右開放側部板
６ａ〜６ｆ  側部板
７  周側板
８  表側シート
９ａ〜９ｈ  補強板
１０ａ、１０ｂ  傾斜面
１１  折曲溝
１２  装飾シート
１３ａ、１３ｂ  嵌合溝
１４  ケース本体
１５ケース本体の開口部
１６  ボトル状化粧品
１７  シール
【図１】
0003124823.tif 000003
【図２】
0003124823.tif 000004
【図３】
0003124823.tif 000005
【図４】
0003124823.tif 000006
【図５】
0003124823.tif 000007
【図６】
0003124823.tif 000008
【図７】
0003124823.tif 000009
【図８】
0003124823.tif 000010